(57)【要約】【課題】釣糸挿通操作を円滑に為しえる中通し竿を提供する。【解決手段】この中通し竿の元上竿２の周面には軸方向にスライド移動自在にゴムリング１０が装着されている。ゴムリング１０は、元上竿２の径変化を利用して、元上竿２の軸方向の一定の範囲においてのみスライド移動する。最も竿元側にゴムリング１０が位置するのは、元上竿２の竿元側端部の底栓１１が元竿１の釣糸導入口６付近に位置する状態まで元上竿２を元竿１内に収納した仮収納位置に於いて、ゴムリング１０が元竿１の穂先側端部に当接するような位置である。【選択図】      図３
2004215512.tif 000002
【特許請求の範囲】
【請求項１】
リールからの釣糸が竿体内部を挿通する中通し竿であって、
リールからの釣糸を内部に導入するための釣糸導入口が周面に形成さており、穂先側端部内周面が嵌合雌部になっている第１竿体と、
前記第１竿体の穂先側に振出形式に連結され、竿元側端部外周面が前記嵌合雌部に嵌着可能な嵌合雄部になっている第２竿体と、
前記第２竿体の竿元側端部が前記第１竿体の釣糸導入口付近に位置する状態まで前記第２竿体を前記第１竿体内に収納した仮収納位置において、前記第２竿体の位置決めをする位置決め手段と、
を備えた中通し竿。
【請求項２】
前記第２竿体の周面に軸方向にスライド移動自在に装着されるリング部材を備え、
前記リング部材は、前記第２竿体の竿元側端部が前記第１竿体の釣糸導入口付近に位置する状態まで前記第２竿体が前記第１竿体内に収納された仮収納位置に於いて前記第１竿体の穂先側端部に当接するような前記第２竿体の軸方向位置より穂先側において、前記第２竿体周面をスライド移動可能であり、
このリング部材が前記位置決め手段である、請求項１に記載の中通し竿。
【請求項３】
前記リング部材はゴム製のリングである、請求項２に記載の中通し竿。
【発明の詳細な説明】
【０００１】
【発明の属する技術分野】
本発明は、中通し竿、特に振出形式で連結され内部に釣糸を挿通可能な中通し竿に関する。
【０００２】
【従来の技術】
従来の振出式の中通し竿は、内部に釣糸通路を有する穂先竿・中竿等及び元上竿と、これらの竿体の竿元側に連結され各竿体を順次内部に収納可能な元竿とを備えている。この元竿は、外周面に設けられリールを取り付け可能なリールシートと、リールシートの穂先側に設けられた釣糸導入口とを有している。そして、竿元側端部には栓状の尻栓が装着されている。また、その他の各竿体の竿元側端部には軸方向に貫通する貫通孔を有する底栓が装着されている。そして、穂先竿の穂先側端部にはトップガイドが装着されている。
【０００３】
このような従来の中通し竿では、使用時には各竿体を順次穂先側へ引き出して固定して１本の釣竿として使用する。そして、元竿の外周面に設けられたリールからの釣糸は、釣糸導入口から竿体内の釣糸通路に導入され、各竿体の底栓の貫通孔を挿通しつつ順次穂先側の竿体へ導かれ、穂先竿の穂先側先端に設けられたトップガイドから外部に導かれる。
【０００４】
この種の中通し竿において、釣糸導入口から釣糸通路に釣糸を導入して釣糸通路に釣糸を通すために（以下「釣糸挿通操作」という）糸通し具が用いられる。一般的な糸通し具は、複数の金属素線をより合わせて形成したワイヤからなる。このワイヤの後端には釣糸を係止するための釣糸係止部が設けられ、またワイヤの先端にはワイヤの素線が広がるのを防止するためのキャップが固定されている。
【０００５】
このような糸通し具を用いて釣糸挿通操作をおこなう際には、まず、釣糸導入口の形成された元竿の穂先側に元上竿を引き出した状態で連結する。そして、糸通し具の糸係止部に釣糸を係止して釣糸導入口よりキャップを挿入する。順次穂先側にワイヤを送って、元上竿の底栓から元上竿内へと糸通し具を挿入し、穂先側から導出する（例えば、特許文献１参照）。
【０００６】
【特許文献１】
特開２０００−１１６２８６（図５）
【０００７】
【発明が解決しようとする課題】
このような従来の中通し竿において、小さな釣糸導入口から竿体内をのぞき込み、糸通し具の先端を元上竿の釣糸通路に直接挿入するのは、初心者にとって困難な場合がある。特に、夜間に釣りを行う場合などにあっては、釣糸導入口内は目視しにくく、糸通し具を上手く元上竿内へ挿入しがたい。特に、釣糸導入口が元竿の穂先側端部より一定の軸方向距離を隔てて元竿の周面に形成されているような釣竿では、元竿の穂先側に元上竿を引き出した状態に於いて元上竿の竿元側端部と釣糸導入口との距離が離れるので、釣糸挿通操作が煩雑になる。
【０００８】
また、元上竿の竿元側端部に装着される底栓には種々の種類があり、釣糸が挿通する貫通孔の形状大きさ等も種々のものがある。このような底栓の形状の相違によっても、糸通し具の元上竿内への挿通作業性が左右される。
本発明の課題は、釣糸挿通操作を円滑に為しえる中通し竿を提供することにある。
【０００９】
【課題を解決するための手段】
発明１の中通し竿は、リールからの釣糸が竿体内部を挿通する中通し竿であって、リールからの釣糸を内部に導入するための釣糸導入口が周面に形成さており、穂先側端部内周面が嵌合雌部になっている第１竿体と、第１竿体の穂先側に振出形式に連結され、竿元側端部外周面が前記嵌合雌部に嵌着可能な嵌合雄部になっている第２竿体と、第２竿体の竿元側端部が第１竿体の釣糸導入口付近に位置する状態まで第２竿体を第１竿体内に収納した仮収納位置において、第２竿体の位置決めをする位置決め手段とを備える。
【００１０】
この中通し竿において釣糸挿通操作を行う場合にも、従来の一般的な糸通し具を用いる。まず、第１竿体の穂先側に第２竿体を引きだして連結した状態から幾分第２竿体を第１竿体内に収納し、位置決め手段によって、第２竿体の竿元側端部を第１竿体の釣糸導入付近に位置させる（仮収納状態）。そして、糸通し具の糸係止部に釣糸を係止し、第１竿体の釣糸導入口から糸通し具のキャップを挿入する。第２竿体の竿元側端部が釣糸導入口付近に位置しており、ユーザは釣糸導入口から第２竿体の竿元側端部を目視しながら釣糸挿通操作を行うことができる。
【００１１】
発明２の中通し竿は、発明１の中通し竿であって、第２竿体の周面に軸方向にスライド移動自在に装着されるリング部材を備えている。このリング部材は、第２竿体の竿元側端部が第１竿体の釣糸導入口付近に位置する状態まで第２竿体が第１竿体内に収納された仮収納位置に於いて第１竿体の穂先側端部に当接するような第２竿体の軸方向位置より穂先側において、第２竿体周面をスライド移動可能である。このリング部材が位置決め手段である。
【００１２】
この中通し竿において釣糸挿通操作を行う場合にも、従来の一般的な糸通し具を用いる。まず、第２竿体をその周面にあるリング部材ができるだけ竿元側にスライド移動した状態としておく。そして、第２竿体を第１竿体の内部に振出式に収納する。リング部材は第１竿体の穂先側端面に当接し、第２竿体の竿元側端部を第１竿体の釣糸導入口付近に位置することになる（仮収納状態）。この状態において、糸通し具の糸係止部に釣糸を係止し、第１竿体の釣糸導入口から糸通し具のキャップを挿入する。第２竿体の竿元側端部が釣糸導入口付近に位置しており、ユーザは釣糸導入口から第２竿体の竿元側端部を目視しながら釣糸挿通操作を行うことができる。
【００１３】
なお、使用時においては第２竿体を完全に第１竿体の穂先側に引き出して連結する。また、収納時にあっては、リング部材を第２竿体の穂先側にスライド移動させて、第２竿体を第１竿体内に完全に収納する。
発明３の中通し竿は、発明２の中通し竿であって、リング部材はゴム製のリングである。
【００１４】
この中通し竿では、リング部材がゴムリングであり、第１竿体の穂先側端面や第２竿体の周面を傷つけてしまうようなこともない。
【００１５】
【発明の実施の形態】
［第１実施形態］
以下、本発明の第１実施形態について、図面を参照しつつ説明する。
（中通し竿について）
図１に示すように、本発明の第１実施形態を採用した中通し竿は、元竿１と元竿１の穂先側に順次振出形式で連結される元上竿２，中竿３，穂先竿４とを有している。各竿体は繊維強化樹脂から構成される先細り筒状部材であり、内部に釣糸を挿通するために釣糸通路を有している。
【００１６】
元竿１は、周面に形成されたリールＲを脱着自在に取り付け可能なリールシート５と、リールシート５の穂先側の周面に形成された釣糸導入口６と、釣糸導入口６付近に固定されリールＲからの釣糸Ｌを釣糸挿入口６へ導くための釣糸導入ガイド７と、竿元側端部に脱着自在に装着される尻栓８とを有している。
元竿１の穂先側端部内周面は振出形式で竿体同士を連結するために嵌合雌部となっている（図２参照）。この嵌合雌部は他の部分より厚肉且つ小径化させてもよい。また、元竿１の竿元側端部内周面には直接ねじ溝などが形成されており、尻栓８はここに脱着自在に螺着している。
【００１７】
釣糸導入口６は周方向においてリールシート５が形成されている側に形成される軸方向に長い長孔であって、必要に応じてその開口に合致する硬質リングがはめ込まれている。例えば、この硬質リングはセラミックスなどから形成されており、釣糸導入口６の形状に合わせたフランジなどを形成し、このフランジを釣糸導入口６にはめ込んで接着剤などで固定してもよい。
【００１８】
釣糸導入ガイド７は、釣糸導入口６を軸方向に跨ぐように元竿１の周面に配置される金属又は合成樹脂等からなる部材であって、硬質のガイドリングを備えており、このガイドリングで釣糸Ｌを案内している。
図２に示すように、元上竿２は、元竿１の穂先側に振出形式で連結される先細り筒状部材であり、その内部は釣糸Ｌが挿通可能な釣糸通路となっている。竿元側端部外周面は上述の元竿１の嵌合雌部に嵌着可能な嵌合雄部となっている。
【００１９】
元上竿２の竿元側端部内周面にはねじ溝が直接形成されてナット部分となっており、ここに底栓１１が脱着自在に装着されている。この底栓１１は、合成樹脂等から形成される栓部材であり、外周面にねじ溝が形成されてボルト部分となっている。軸方向に貫通する貫通孔が形成されており、この貫通孔の内周面にはセラミックスなどの硬質部材からなる案内リングもはめ込まれる。貫通孔の竿元側は竿元側開口ほど拡径する曲面となっており、後述の糸通し具が導入され易いようになっている。
【００２０】
この元上竿２の周面には、ゴムリング１０が軸方向にスライド移動可能に配置されている。ゴムリング１０は周知のウレタンゴムやスチレンゴム等のゴム素材から形成される。元上竿２は先細り筒状体であり、その径変化を利用してゴムリング１０は元上竿２の周面を軸方向の一定の範囲においてスライド移動する。具体的には、この一定の範囲とは、元上竿２の竿元側端部の底栓１１が元竿１の釣糸導入口６の穂先側に位置する状態まで（図３参照）元上竿２を元竿１内に収納した仮収納位置に於いてゴムリング１０が元竿１の穂先側端部に当接するような軸方向位置があり、この位置より穂先側の範囲である。
【００２１】
なお、ゴムリング１０が元上竿２の穂先側に抜け落ちてしまわないように、元上竿２の穂先側端部の周面に穂先リングを固定してもよい。この穂先リングを元上竿２に装着した場合には、ゴムリング１０は上記所定の位置と穂先リングとの間の軸方向範囲において、元上竿２の周面をスライド移動することになる。
中竿３および穂先竿４も、元上竿２と同様の先細り筒状部材である。振り出し形式に連結するための嵌合部分もそれぞれの竿体に形成される。また、内部の釣糸通路の内周面（釣糸通路面）には軸方向に間隔を設けつつ螺旋状に連続する釣糸支持突起を形成してもよい（図示せず）。このような釣糸支持突起を利用して、釣糸と竿体内周面との接触面積を低減させることも可能である。また、穂先竿４の穂先側端部には脱着自在にトップガイド９も装着される。
【００２２】
（糸通し具について）
次に、一般的な糸通し具の構造を簡単に説明する。
図５に示すように、糸通し具５０は、線状の本体部５１と、本体部５１の先端に設けられたキャップ部５２と、本体部５１の後端に設けられ釣糸Ｌを係止可能な釣糸係止部５３とを有している。
【００２３】
本体部５１は、複数の金属素線をよって形成されたワイヤまたは合成樹脂で形成された屈曲自在な線状部材である。金属ワイヤから形成される場合、その表面には合成樹脂によって表面コートが施される。また、商品イメージに合わせて様々な色彩や模様が施される。キャップ部５２は、金属または合成樹脂からなる蓋付円筒型部材であって、本体部５１の先端部分を収納するように配置されている。また、釣糸係止部５３は、本体部５１より小径のワイヤ等でリング状に形成されており、このリング状の部分に釣糸Ｌを係止可能である。これらは、穂先竿４の内径より小さく、中通し竿の内部の釣糸通路を挿通可能なものである。
【００２４】
（釣糸挿通操作について）
この中通し竿において釣糸挿通操作を行う際には、以下のような手順で行う。
まず、図３に示すように、元上竿２の周面のゴムリング１０をできるだけ竿元側にスライド移動させた状態としておく。そして、元上竿２をゴムリング１０が元竿１の穂先側端部に当接するまで、元竿１の内部に振出式に収納する。すると、元上竿２の竿元側端部の底栓１１が元竿１の釣糸導入口６の穂先側付近に位置することになる（仮収納状態）。この状態において、糸通し具５０の釣糸係止部５３に釣糸Ｌを係止し、元竿１の釣糸導入口６から糸通し具５０のキャップ部５２を挿入する。底栓１１は釣糸導入口６の穂先側付近に位置しているので、ユーザは釣糸導入口６から底栓１１を目視しながら釣糸挿通操作を行うことができ、底栓１１へ直接的に糸通し具５０のキャップ部５２を挿入させることができる。
【００２５】
釣糸挿通操作後の使用時においては、元上竿２を完全に元竿１の穂先側に引き出して、嵌合雌部と嵌合雄部とを嵌着させて相互に連結する（図２参照）。一方、釣りを終えるなどして釣竿を収納する際にあっては、ゴムリング１０を元上竿２の穂先側にスライド移動させれば、元上竿２は元竿１内に完全に収納することもできる（図４参照）。
【００２６】
［他の実施形態］
（ａ）変形例を図６に示す。
図６に示すように、この釣竿の元竿３１の釣糸導入口３６の穂先側の内周面にはリング４０が装着されている。このリング４０はスポンジゴム等から構成される。その内径は元上竿３２の竿元側端部の外径に一致し若しくはやや小径程度である。このリング４０は、元竿３１を製造後に所定の位置に接着などで固定することもできる。若しくは、元竿３１製造時に一体的に形成してもよい。例えば、芯材の所定位置に凹溝を形成してここにリング４０を配置しておき、芯材及びリング４０の外周にプリプレグ素材を巻回して焼成する。その後、芯材を引き抜けば、内周面の所定位置にリング４０が配置された元竿３１を製造できる。
【００２７】
この中通し竿において釣糸挿通操作を行う際には、以下のような手順で行う。
まず、元上竿３２をその竿元側端部がリング４０に当接するまで、元竿１の内部に振出式に収納する。すると、元上竿３２の竿元側端部が元竿３１の釣糸導入口３６の穂先側付近に位置することになる（仮収納状態）。この状態において、第１実施形態と同様に、糸通し具５０で釣糸挿通操作を行う。
【００２８】
釣糸挿通操作後の使用時においては、元上竿３２を完全に元竿３１の穂先側に引き出して、嵌合雌部と嵌合雄部とを嵌着させて相互に連結する。さらに、釣りを終えるなどして釣竿を収納する際にあっては、元上竿３２をリング４０の竿元側に押し込めば、リング４０は自らの弾性で収縮し、元上竿３２は元竿３１内に完全に収納できる。
（ｂ）上記各実施形態では、元竿に釣糸導入口がある場合を例示しているが、釣竿の種類にあっては元上竿に釣糸導入口が設けられている場合もある。この場合には、ゴムリングは元上竿の穂先側に連結される他の竿体の周面に装着することになる。
【００２９】
【発明の効果】
本発明の中通し竿では、釣糸挿通操作が円滑になしえる。
【図面の簡単な説明】
【図１】本発明の第１実施形態を採用した中通し竿の全体図。
【図２】図１の元竿１と元上竿２との連結部分を示した断面図（元上竿２を元竿１の穂先側に完全に引き出した状態）。
【図３】図１の元竿１と元上竿２との連結部分を示した断面図（元上竿２を元竿１内に仮収納した状態）。
【図４】図１の元竿１と元上竿２との連結部分を示した断面図（元上竿２を元竿１内に収納してゆく状態）。
【図５】一般的な糸通し具５０を示した図。
【図６】他の実施形態を示した図。
【符号の説明】
１，３１  元竿
２，３２  元上竿
１０  ゴムリング
１１  底栓
４０  リング
５０  糸通し具
【図１】
2004215512.tif 000003
【図２】
2004215512.tif 000004
【図３】
2004215512.tif 000005
【図４】
2004215512.tif 000006
【図５】
2004215512.tif 000007
【図６】
2004215512.tif 000008